(57)【要約】【課題】  竿を上下方向に真っ直ぐな起立状態又は上下方向に対して傾斜した状態の複数の起立状態に簡単な構造で確実かつ安定に保持することでき、しかも製造容易でかつ安価に製造することができる旗状表示物の支持装置を提供する。【解決手段】  旗状の表示物を掲揚する竿３を支持する竿立台５を備える旗状表示物の支持装置であって、竿立台５の上部に竿３の中途部を挿通保持する中途保持体２５が横軸Ｘ廻りに回転自在に支持され、竿立台５の下部に竿３の基端部を係合する係合部５２が前記横軸Ｘ廻りに複数個配設されている。【選択図】図１
2016099601.tif 000002
【特許請求の範囲】
【請求項１】
旗状の表示物を掲揚する竿（３）を支持する竿立台（５）を備える旗状表示物の支持装置であって、
竿立台（５）の上部に竿（３）の中途部を挿通保持する中途保持体（２５）が横軸（Ｘ）廻りに回転自在に支持され、竿立台（５）の下部に竿（３）の基端部を係合する係合部（５２）が前記横軸（Ｘ）廻りに複数個配設されていることを特徴とする旗状表示物の支持装置。
【請求項２】
前記中途保持体（２５）には、竿（３）の長さ方向の移動をロックするロック手段（３７）が具備されていることを特徴とする請求項１に記載の旗状表示物の支持装置。
【請求項３】
前記係合部（５２）は、中途保持体（２５）の下方に配置された第１係合部（５２ａ）と第１係合部（５２ａ）から横軸（Ｘ）廻りに離間して配置された第２係合部（５２ｂ）とがあって、竿（３）の中途部を中途保持体（２５）に挿通して、竿（３）の基端部を第１係合部（５２ａ）に係合したとき、竿（３）が中途保持体（２５）と第１係合部（５２ａ）との間で上下方向に真っ直ぐ起立保持され、竿（３）の中途部を中途保持体（２５）に挿通して、竿（３）の基端部を第２係合部（５２ｂ）に係合したとき、竿（３）が中途保持体（２５）と第２係合部（５２ｂ）との間で上下方向に対して傾斜した状態で起立保持されるように構成されていることを特徴とする請求項１又は２に記載の旗状表示物の支持装置。
【請求項４】
前記竿立台（５）は、所定の高さを有していて幅方向に長く厚み方向に短い扁平なブロック状に形成され、竿立台（５）の下部に、股溝（４７）を介して幅方向に二股状に分かれた第１設置部（４９）と第２設置部（５０）とが設けられ、
竿立台（５）とは別体に、重り材を収容可能な重りタンク（６）が具備されており、重りタンク（６）は高さが低くて竿立台（５）の厚み方向に長いブロック状に形成され、竿立台（５）の厚み方向の両側に突出する一対の突出設置部（５６）を有すると共に、一対の突出設置部（５６）を連結する小幅の連結部（５７）を有し、竿立台（５）は、設置した重りタンク（６）の上側から股溝（４７）を介して連結部（５７）を幅方向に跨いで第１設置部（４９）と第２設置部（５０）とを設置することにより、第１設置部（４９）と第２設置部（５０）との間で連結部（５７）に嵌合されると共に、第１設置部（４９）と第２設置部（５０）との対向端部が一対の突出設置部（５６）間に嵌合されるように構成されていることを特徴とする請求項１〜３のいずれかに記載の旗状表示物の支持装置。
【請求項５】
前記竿立台（５）の上部に、厚み方向に離間した一対の支持腕（１８）が幅方向外方に突設されており、一対の支持腕（１８）の先端部間に中途保持体（２５）が竿立台（５）の厚み方向に一致する横軸（Ｘ）廻りに回動自在に支持され、
竿立台（５）の下部の支持腕（１８）突出側に第１設置部（４９）が配置され、支持腕（１８）突出側とは反対側に第２設置部（５０）が配置され、第１係合部（５２ａ）は第１設置部（４９）の上面に中途保持体（２５）の下方に位置して設けられ、第２係合部（５２ｂ）は第１設置部（４９）の第１係合部（５２ａ）よりも幅方向の内方側に設けられていることを特徴とする請求項４に記載の旗状表示物の支持装置。
【請求項６】
前記竿立台（５）は、重り材を収容可能なタンクで構成されて、前記竿（３）を持った人や動物の外観形状に形成されていることを特徴とする請求項１〜５のいずれかに記載の旗状表示物の支持装置。
【発明の詳細な説明】
【技術分野】
【０００１】
本発明は、のぼり旗等の旗状表示物を支持するための旗状表示物の支持装置に関するものである。
【背景技術】
【０００２】
商業広告等を表示したのぼり旗やプラカードのように棒体に旗や広告板等を取り付けた旗状の表示物を支持するようにした旗状表示物の支持装置では、旗状表示物を掲揚する竿（棒体）を支持する竿立台を備えたものがある。
この種の従来の旗状表示物の支持装置には、竿立台に上端が開口した嵌合孔を上下方向に形成し、この嵌合孔に旗竿の基部を上側から嵌合することにより、旗竿を竿立台に真っ直ぐ上下方向に向けて起立状に保持するようにしたものがある（例えば特許文献１）。
【０００３】
また、他の従来の旗状表示物の支持装置には、竿立台に複数のパイプ状の支持筒を順次傾斜角度が異なるように起立状に突設し、これら複数の支持筒を選択して旗竿の基部を嵌合することによって、旗竿を上下方向に対する傾斜角度を変えて起立状に保持できるようになっているものがある（例えば特許文献２）。
【先行技術文献】
【特許文献】
【０００４】
【特許文献１】特開２０１３−３３９８号公報
【特許文献２】特開２００４−１３３２２１号公報
【発明の概要】
【発明が解決しようとする課題】
【０００５】
しかし、従来では、前者の場合、竿立台の構造が簡単であるが、旗竿を真っ直ぐ上下方向に起立状に保持することしかできないため、旗竿を上下方向に対して傾斜した状態に保持することができず、注意を惹き難い場合があり、汎用性にも欠けるという問題があった。
また、後者の場合、複数の長い支持筒を起立状に突設するにはその固定構造が複雑になり、竿立台の構造が複雑で旗状表示物の支持装置全体の製造が面倒でかつ製造費が高く付くという問題があった。また、長い支持筒の固定が不安定になり、このため旗竿がガタ付いたり、不測に倒れたりするおそれが大であった。
【０００６】
本発明は上記問題点に鑑み、竿を１つの起立状態だけでなく、上下方向に真っ直ぐな起立状態又は上下方向に対して傾斜した状態の複数の起立状態に簡単な構造で確実かつ安定に保持することでき、しかも製造容易でかつ安価に製造することができる旗状表示物の支持装置を提供することを目的としている。
【課題を解決するための手段】
【０００７】
本発明における課題解決のための具体的手段は、次の通りである。
この技術的課題を解決する本発明の技術的手段は、旗状の表示物を掲揚する竿３を支持する竿立台５を備える旗状表示物の支持装置であって、
竿立台５の上部に竿３の中途部を挿通保持する中途保持体２５が横軸Ｘ廻りに回転自在に支持され、竿立台５の下部に竿３の基端部を係合する係合部５２が前記横軸Ｘ廻りに複数個配設されている点にある。
【０００８】
また、本発明の他の技術的手段は、前記中途保持体２５には、竿３の長さ方向の移動をロックするロック手段３７が具備されている点にある。
また、本発明の他の技術的手段は、前記係合部５２は、中途保持体２５の下方に配置された第１係合部５２ａと第１係合部５２ａから横軸Ｘ廻りに離間して配置された第２係合部５２ｂとがあって、竿３の中途部を中途保持体２５に挿通して、竿３の基端部を第１係合部５２ａに係合したとき、竿３が中途保持体２５と第１係合部５２ａとの間で上下方向に真っ直ぐ起立保持され、竿３の中途部を中途保持体２５に挿通して、竿３の基端部を第２係合部５２ｂに係合したとき、竿３が中途保持体２５と第２係合部５２ｂとの間で上下方向に対して傾斜した状態で起立保持されるように構成されている点にある。
【０００９】
また、本発明の他の技術的手段は、前記竿立台５は、所定の高さを有していて幅方向に長く厚み方向に短い扁平なブロック状に形成され、竿立台５の下部に、股溝４７を介して幅方向に二股状に分かれた第１設置部４９と第２設置部５０とが設けられ、
竿立台５とは別体に、重り材を収容可能な重りタンク６が具備されており、重りタンク６は高さが低くて竿立台５の厚み方向に長いブロック状に形成され、竿立台５の厚み方向の両側に突出する一対の突出設置部５６を有すると共に、一対の突出設置部５６を連結する小幅の連結部５７を有し、竿立台５は、設置した重りタンク６の上側から股溝４７を介して連結部５７を幅方向に跨いで第１設置部４９と第２設置部５０とを設置することにより、第１設置部４９と第２設置部５０との間で連結部５７に嵌合されると共に、第１設置部４９と第２設置部５０との対向端部が一対の突出設置部５６間に嵌合されるように構成されている点にある。
【００１０】
また、本発明の他の技術的手段は、前記竿立台５の上部に、厚み方向に離間した一対の支持腕１８が幅方向外方に突設されており、一対の支持腕１８の先端部間に中途保持体２５が竿立台５の厚み方向に一致する横軸Ｘ廻りに回動自在に支持され、
竿立台５の下部の支持腕１８突出側に第１設置部４９が配置され、支持腕１８突出側とは反対側に第２設置部５０が配置され、第１係合部５２ａは第１設置部４９の上面に中途保持体２５の下方に位置して設けられ、第２係合部５２ｂは第１設置部４９の第１係合部５２ａよりも幅方向の内方側に設けられている点にある。
【００１１】
また、本発明の他の技術的手段は、前記竿立台５は、重り材を収容可能なタンクで構成されて、前記竿３を持った人や動物の外観形状に形成されている点にある。
【発明の効果】
【００１２】
本発明によれば、竿の中途部を中途保持体に挿通すると共に、竿の基端部を複数の係合部に選択して係合することにより、竿を上下方向に真っ直ぐな起立状態又は上下方向に対して傾斜した状態の複数の起立状態に保持することができ、のぼり旗等の旗状表示物を注意を惹き易い状態に保持することができるし、汎用性も大きくなる。
しかも、竿をその中途部と基端部との２点で支持して、竿を傾斜した状態でも確実かつ安定に保持固定することできる。また、竿の支持構造として、竿立台の上部に中途保持体が横軸廻りに回転自在に支持され、竿立台の下部に係合部が前記横軸廻りに複数個配設されていればよく、非常に簡単な構造で竿を保持固定することでき、旗状表示物の支持装置全体を製造容易でかつ安価に製造することができる。
【図面の簡単な説明】
【００１３】
【図１】本発明の第１実施形態を示す支持装置の正面図である。
【図２】同旗竿を傾斜させて支持した状態の斜視図である。
【図３】同旗竿を真っ直ぐ支持した状態の斜視図である。
【図４】同支持装置の平面図である。
【図５】同支持装置の側面図である。
【図６】図５のＡ−Ａ線断面図である。
【図７】図６のＢ−Ｂ線断面図である。
【図８】図６のＣ−Ｃ線断面図である。
【図９】第２実施形態を示す斜視図である。
【発明を実施するための形態】
【００１４】
以下、本発明の実施の形態を図面に基づいて説明する。
図１〜図８は本発明の第１実施形態を示している。図１〜図５において、旗状表示物であるのぼり旗２を支持する旗状表示物の支持装置１は、旗竿３を起立状に保持する竿立台５を備え、竿立台５とは別体に、重り材である水を収容可能な重りタンク６が具備されている。
【００１５】
ここで、のぼり旗２は、例えば、図２及び図３に示すように、布材で形成されたシート状の旗本体８と旗本体８が取り付けられる旗竿３とを備え、旗竿３は合成樹脂等により形成した円筒状の棒材により構成され、その上部に円筒状の上横杆９が突設されている。
旗本体８は例えば上下に長い長方形状に形成され、幅方向の一端部に布製等の連結リング１１が長手方向に複数個突設されており、連結リング１１を旗竿３に外嵌することにより、旗本体８は連結リング１１を介して旗竿３に連結されている。旗本体８の上端部に布製等の連結リング１２が幅方向に複数個突設されており、旗本体８の上端部は上横杆９に連結リング１２を介して連結されている。
【００１６】
前記竿立台５は、重り材である水を収容可能なタンクで構成され、合成樹脂等により内部が空洞であって、所定の高さを有していて幅方向に長く厚み方向に短い扁平なブロック状に形成されている。この竿立台５は旗竿３を持った子供の外観形状に形成され、頭部と胴部と一対の腕部と一対の脚部とを一体に有している。竿立台５の頭部の上面側に給水口１５が設けられると共に、給水口１５を着脱自在に塞ぐ蓋体１６が設けられている。
【００１７】
前記竿立台５の（胴部の）上部に、厚み方向に離間した一対の支持腕１８が幅方向外方に突設されている。竿立台５の上部に支持突部１９が幅方向外方に一体に設けられており、この支持突部１９を一対の支持腕１８の基部が厚み方向に挟むように配置されている。支持腕１８の基部の内面には、図８に示すように、取付孔２０を有する複数（図例では４個）の取付筒２１が厚み方向の内方に突設され、これに対応して支持突部１９の厚み方向の両端部に複数のナット２２が埋設されており、各取付筒２１に挿入したボルト２３をナット２２に螺合して締め付けることにより、一対の支持腕１８の基部が支持突部１９に締め付け固定されている。
【００１８】
竿立台５の上部である支持腕１８の先端部間に旗竿３の中途部を挿通保持する中途保持体２５が設けられている。
図６及び図７にも示すように、中途保持体２５は合成樹脂等により円筒状に形成され、筒軸方向が竿立台５の厚み方向を向くように配置され、中途保持体２５の筒軸方向の両端部が閉塞されていて、支持凸部２６がそれぞれ一体に突設されている。一対の支持腕１８の先端部の内面側に軸受筒２８が内方に突設されており、各支持腕１８の軸受筒２８に支持凸部２６が横軸Ｘ廻りに回転自在に嵌合され、これにより中途保持体２５は一対の支持腕１８間に竿立台５の厚み方向に一致する横軸Ｘ廻りに回動自在に支持されている。
【００１９】
中途保持体２５の筒軸方向中央部の上部側に円筒状の挿入口部３１が突設され、下部側に環状の取出口部３２が突設され、中途保持体２５の筒軸方向の中央部に旗竿３を挿通するための挿通孔３０が径方向（上下方向）に貫通状に形成されている。挿入口部３１と取出口部３２とは挿通孔３０の上部と下部とにそれぞれ配置され、挿入口部３１の上部外周に雄ねじ３４が形成されている。挿入口部３１の上下中途部に内方に窄まった環状突部３５が設けられている。
【００２０】
中途保持体２５には、旗竿３の長さ方向の移動をロックするロック手段３７が具備されている。ロック手段３７は、中途保持体２５の挿入口部３１に取り付けられる締付筒体３９を具備している。
締付筒体３９は円筒状の周壁部４０と環状の天壁部４１とを有し、周壁部４０の上部内面に前記雄ねじ３４に螺合する雌ねじ４３が形成されており、締付筒体３９は雌ねじ４３を介して挿入口部３１に着脱自在に螺合されるようになっている。
【００２１】
締付筒体３９には、天壁部４１の内周部から下方突出した複数の締付片４５が突設され、各締付片４５は締付筒体３９の周方向に間隔おいて複数個配置され、それぞれ締付筒体３９の天壁部４１から内方下がりに傾斜しており、締付筒体３９を挿入口部３１に螺合して締め付けていくと、各締付片４５の下部側が挿入口部３１の環状突部３５に押圧当接して次第に内方側に弾性変形して、締付筒体３９及び中途保持体２５に挿通した旗竿３の中途部を締め付けて、旗竿３の長さ方向への移動をロックするように構成されている。
【００２２】
竿立台５（の脚部）の下部に、股溝４７を介して幅方向に二股状に分かれた第１設置部４９と第２設置部５０とが設けられている。竿立台５の下部の支持腕１８突出側に第１設置部４９が配置され、支持腕１８突出側とは反対側に第２設置部５０が配置されている。
竿立台５の下部に旗竿３の基端部を係合する係合部５２が前記横軸Ｘ廻りに複数個（図例では２個）配設されている。
【００２３】
係合部５２には、中途保持体２５の下方に配置された第１係合部５２ａと第１係合部５２ａから横軸Ｘ廻りに離間して配置された第２係合部５２ｂとがあって、第１係合部５２ａは第１設置部４９の上面に凹状に形成してなり、第１係合部５２ａに旗竿３の基端部が上側から係脱自在に係合して、旗竿３の基端部の移動を規制するようになっている。
第１設置部４９の第１係合部５２ａよりも幅方向内方側に上方に膨出した膨出部５４が竿立台５と一体に設けられ、第２係合部５２ｂは膨出部５４の上面に凹状に形成してなり、第２係合部５２ｂに旗竿３の基端部を上側から係脱自在に係合して、旗竿３の基端部の移動を規制するようになっている。従って、第２係合部５２ｂは第１設置部４９の第１係合部５２ａよりも竿立台５の幅方向内方側に設けられている。
【００２４】
而して、旗竿３の中途部を中途保持体２５に挿通して、旗竿３の基端部を第１係合部５２ａに係合したとき、旗竿３が中途保持体２５と第１係合部５２ａとの間で上下方向に真っ直ぐ起立保持され、旗竿３の中途部を中途保持体２５に挿通して、旗竿３の基端部を第２係合部５２ｂに係合したとき、旗竿３が中途保持体２５と第２係合部５２ｂとの間で上下方向に対して竿立台５の幅方向外方に向けて外方上がりに傾斜した状態で起立保持されるように構成されている。
【００２５】
重りタンク６は、合成樹脂等により竿立台５よりも高さが低くて竿立台５の厚み方向に長いブロック状に形成されていて、竿立台５の厚み方向の両側に突出する一対の突出設置部５６を有すると共に、一対の突出設置部５６を連結する小幅の連結部５７を有している。連結部５７の上方に把持部５８が一対の突出設置部５６を連結するように設けられている。一方の突出設置部５６の上面側に給水口５９が設けられると共に、この給水口５９を着脱自在に塞ぐ蓋体６０が設けられている。
【００２６】
而して、竿立台５は、設置した重りタンク６の上側から股溝４７を介して連結部５７及び把持部５８を幅方向に跨いで第１設置部４９と第２設置とを設置することにより、第１設置部４９と第２設置部５０との間で連結部５７に嵌合されると共に、第１設置部４９と第２設置部５０との対向端部が一対の突出設置部５６間に嵌合固定されるように構成されている。これにより竿立台５と重りタンク６とが十字状に嵌合されるので、竿立台５が倒れにくくなっている。
【００２７】
上記実施形態によれば、旗本体８を装着した旗竿３を竿立台５に起立状に保持する場合、挿入口部３１に締付筒体３９を軽く螺合した状態で、まず、旗竿３をその基端部から中途保持体２５の挿通孔３０に上側から挿入して、旗竿３の中途部を中途保持体２５に挿通し、旗竿３の基端部を第１係合部５２ａに係合すれば、旗竿３が中途保持体２５と第１係合部５２ａとの間で上下方向に真っ直ぐ起立保持される。その後、締付筒体３９を挿入口部３１に締め付ければ、複数の締付片４５が中途保持体２５に挿通した旗竿３の中途部を締め付け、ロック手段３７が中途保持体２５に対して旗竿３の長さ方向への移動をロックして、旗竿３の基端部が第１係合部５２ａに当て止めされた状態に維持される。
【００２８】
一方、旗竿３を傾斜状態に保持する場合は、旗竿３をその下端部から中途保持体２５の挿通孔３０に上側から挿入して、旗竿３の中途部を中途保持体２５の挿通孔３０に挿通し、旗竿３の基端部を第２係合部５２ｂに係合すれば、旗竿３が中途保持体２５と第２係合部５２ｂとの間で上下方向に対して傾斜した状態で起立保持される。その後、締付筒体３９を締め付ければ、ロック手段３７が中途保持体２５に対して旗竿３の長さ方向への移動をロックして、旗竿３の基端部が第２係合部５２ｂに当て止めされた状態に維持される。
【００２９】
従って、旗竿３を上下方向に真っ直ぐな起立状態又は上下方向に対して傾斜した状態の複数の起立状態に保持することができ、のぼり旗２を注意を惹き易い状態に支持することができるし、複数の起立状態に保持できて汎用性も大きくなる。
しかも、旗竿３をその中途部と基端部との２点で支持して、旗竿３を確実かつ安定に保持固定することできる。また、旗竿３の支持構造として、竿立台５の上部に挿通孔３０を有する中途保持体２５が横軸Ｘ廻りに回転自在に支持され、竿立台５の下部に係合部５２が前記横軸Ｘ廻りに複数個配設されていればよく、非常に簡単な構造で旗竿３を安定に保持固定することできるし、旗状表示物の支持装置１全体を製造容易でかつ安価に製造することができる。
【００３０】
また、ロック手段３７によって旗竿３の長さ方向への移動をロックすることができるため、旗竿３の基端部に対して係合部５２への係合が甘くても、旗竿３がガタ付かないように真っ直ぐな起立状態又は傾斜した起立状態に確実に保持固定することができる。
また、設置した重りタンク６に対して竿立台５を上側から嵌合して、重りタンク６によって竿立台５が幅方向等に倒れたりガタ付いたりするのを効果的に防止することができ、この点からも、竿立台５を簡単に設置して旗竿３をガタ付かないように安定に支持することができる。
【００３１】
また、竿立台５の下部の支持腕１８突出側に第１設置部４９が配置され、支持腕１８突出側とは反対側に第２設置部５０が配置され、第１係合部５２ａは第１設置部４９の上面に中途保持体２５の下方に位置して設けられ、第２係合部５２ｂは第１設置部４９の第１係合部５２ａよりも幅方向の内方側に設けられているので、竿立台５の幅方向外方側に、旗竿３を幅方向外方に向けて外方上がりに傾斜した状態で起立状に保持することができるため、旗竿３を傾斜状態に保持するにも拘わらず、水を収容した重りタンク６の重量と竿立台５の重量とによって竿立台５がガタ付いたり倒れたりしないように安定に設置しておくことができる。
【００３２】
また、竿立台５は水を収容可能なタンクで構成され、竿立台５とは別体に、水を収容可能な重りタンク６が具備されているので、旗状表示物の支持装置１を持ち運んだり保管したりする際には、重りタンク６から竿立台５を簡単に取り外して分解しておくことができるし、竿立台５自身は扁平なブロック状であり、竿立台５や重りタンク６から水を排出して軽量にしておくことができるし、支持装置１全体を嵩張らないようにコンパクトに収納することができ、持ち運んだり保管したりするのに便利である。
【００３３】
図９は第２実施形態を示し、旗状表示物の支持装置１は、前記第１実施形態のものよりも小型のものである。例えば、パチンコ店等の遊戯場の遊戯台６３上方の壁６４等に、直接又は取付板６５を介して竿立台５を固定するようにしたものであり、竿立台５の背面を取付板６５又は壁６４等に両面接着テープや接着剤等で接着固定し、膨出部５４を省略している。そして、前記第１実施形態の場合と同様に、旗状表示物の支持装置１は竿立台５を備え、竿立台５は合成樹脂等によって、中実又は内部に空洞を有する幅方向に長い扁平な小型のブロック状に形成され、竿立台５の上部に旗竿３の中途部を挿通保持する中途保持体２５が横軸Ｘ廻りに回転自在に支持され、竿立台５の下部に旗竿３の基端部を係合する係合部５２が前記横軸Ｘ廻りに複数個配設されており、旗竿３を上下方向に真っ直ぐな起立状態又は上下方向に対して傾斜した状態の複数の起立状態に保持することができるようになっている。
【００３４】
なお、前記第２実施形態では、旗状表示物の支持装置１は壁付け型であるが、これに代え、卓上型にしてもよい。
なお、前記実施形態によれば、竿立台５の下部に旗竿３の基端部を係合保持する係合部５２が前記横軸Ｘ廻りに２個配設されているが、係合部５２の個数は２個に限定されずに、３個以上設けるようにしてもよい。
【００３５】
また、前記実施形態では、旗竿３を上下に真っ直ぐな状態と上下に対して傾斜した状態との２通りに支持するようにしているが、これに代え、上下に対して傾斜した２通りの傾斜状態に保持できるようにしてもよいし、また、３通り以上の真っ直ぐな状態又は傾斜状態に支持するようにしてもよい。
また、竿立台５は子供の外観形状に限定されず、大人の人や動物の外観形状であってもよい。
【００３６】
また、竿立台５及び重りタンク６は、重り材として水を収容することに代えて、砂その他の重り材を収容するようにしてもよい。また、竿立台５はタンクに代えて重い材料で中実に形成するようにしてもよい。
また、本発明が適用される旗状表示物の支持装置１は、のぼり旗２を支持するものに限定されず、竿に装着された看板や表示板等の旗状表示物を支持する支持装置であってもよい。
【００３７】
また、前記実施形態では、中途保持体２５に竿の長さ方向の移動をロックするロック手段３７が具備されているが、これに代え、ロック手段３７乃至締付筒体３９を省略するようにしてもよく、この場合には、係合部５２で竿の基端部を動かないように強く係合できるようにすることが好ましい。
また、竿の基端部を係合する係合部５２は凹状のものに限定されず、例えば竿の基端部に着脱自在に内嵌可能な突起により構成してもよい。
【符号の説明】
【００３８】
１      支持装置
２      のぼり旗
３      旗竿
５      竿立台
６      重りタンク
１８    支持腕
２５    中途保持体
３７    ロック手段
４７    股溝
４９    第１設置部
５０    第２設置部
５２    係合部
５２ａ  第１係合部
５２ｂ  第２係合部
５６    突出設置部
５７    連結部
Ｘ      横軸
【図１】
2016099601.tif 000003
【図２】
2016099601.tif 000004
【図３】
2016099601.tif 000005
【図４】
2016099601.tif 000006
【図５】
2016099601.tif 000007
【図６】
2016099601.tif 000008
【図７】
2016099601.tif 000009
【図８】
2016099601.tif 000010
【図９】
2016099601.tif 000011